【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
ディスプレイ・システムであって、
複数のピクセル回路を含むとともに、複数のセグメントに分割され、各セグメントが複数行の複数のピクセルを含むピクセルアレイであって、各ピクセル回路は、発光デバイスと、前記発光デバイスを駆動して発光させるための駆動トランジスタと、キャパシタと、前記ピクセル回路をプログラミングするためにデータ・ラインに接続された第１スイッチ・トランジスタと、前記駆動トランジスタのスレッショルド電圧を発生するための第２スイッチ・トランジスタとを含むピクセルアレイと、
プログラミング動作中に前記第１スイッチ・トランジスタを、データを受けるように制御するとともに、スレッショルド電圧生成動作中に前記第２スイッチ・トランジスタを、前記駆動トランジスタのスレッショルド電圧を発生するように制御するドライバであって、前記データが、前記プログラミング動作の間、前記キャパシタに保存され、前記ドライバが、前記複数のセグメントを用いてセグメント化されたアドレシング・スキームを実行する、と、
を含み、
前記ドライバは、前記ピクセルアレイにおける２以上の行のピクセル回路であって、前記複数のセグメントの中の第１セグメントの２以上の行のピクセル回路において、前記スレッショルド電圧生成動作を実行させる一方、前記複数のセグメントの第２セグメントのピクセル回路において駆動動作またはプログラミング動作を同時に実行させ、
前記ドライバは、前記第２セグメントにおける前記ピクセル回路のいずれかにおいてスレッショルド電圧生成動作を実行する前に、前記第１セグメントにおける全ての前記ピクセル回路において前記スレッショルド電圧生成動作を実行する、
ディスプレイ・システム。
【請求項２】
前記ドライバは、前記第２セグメントにプログラミング動作を実行させているときに、前記第１セグメントに、前記プログラミング動作とは独立してスレッショルド電圧生成動作を実行させる、ように構成されている、請求項１に記載のディスプレイ・システム。
【請求項３】
各セグメントが複数の行を含み、各セグメントの複数の行のそれぞれについて前記プログラミング動作が連続して実行される、請求項１に記載のディスプレイ・システム。
【請求項４】
各セグメントが複数の行を含み、前記スレッショルド電圧生成動作が各セグメントに連続して実行される、請求項１に記載のディスプレイ・システム。
【請求項５】
前記複数のピクセル回路のそれぞれでは、前記第１スイッチ・トランジスタのゲート端子が第１選択ラインに接続され、前記第２スイッチ・トランジスタのゲート端子が第２選択ラインに接続され、前記第２スイッチ・トランジスタの第２端子がグランドに接続され、前記第１および第２の選択ラインが前記ドライバによって駆動され、前記第２スイッチ・トランジスタの第１端子が前記駆動トランジスタのゲート端子に接続され、前記第１スイッチ・トランジスタの第１端子がデータ・ラインに接続され、前記第１スイッチ・トランジスタの第２端子が前記駆動トランジスタのゲート端子に接続され、前記駆動トランジスタの第１端子が電源に接続され、前記データ・ラインが前記ドライバによって駆動され、前記キャパシタの第１端子が前記駆動トランジスタのゲート端子に接続され、前記キャパシタの第２端子が前記発光デバイスの第１端子および前記駆動トランジスタの第２端子に接続され、前記発光デバイスの第２端子がグランドに接続される、請求項１に記載のディスプレイ・システム。
【請求項６】
前記複数のピクセル回路のそれぞれは、前記キャパシタとして第１キャパシタを含むとともに、
前記複数のピクセル回路のそれぞれは、さらに、
第２キャパシタと、第３スイッチ・トランジスタを含み、
前記複数のピクセル回路のそれぞれでは、第１スイッチ・トランジスタのゲート端子が第１選択ラインに接続されており、第２および第３スイッチ・トランジスタのゲート端子が、第２選択ラインに接続され、
第１および第２選択ラインは、前記ドライバによって駆動され、
第１スイッチ・トランジスタの第１端子が前記データ・ラインに接続され、第１スイッチ・トランジスタの第２端子は前記第１キャパシタの第２端子および第２キャパシタの第１端子に接続され、
前記第２スイッチ・トランジスタの第１端子が第１スイッチ・トランジスタの第２端子に接続され、前記第２スイッチ・トランジスタの第２端子がグランドに接続され、
第３スイッチ・トランジスタの第１端子が駆動トランジスタの第１端子および発光デバイスの第２端子に接続され、
駆動トランジスタの第２端子がグランドに接続され、発光デバイスの第１端子が電源に接続され、
第３スイッチ・トランジスタの第２端子が駆動トランジスタのゲート端子に接続され、
前記第１キャパシタの第１端子が前記駆動トランジスタのゲート端子に接続され、前記第１キャパシタの第２端子が前記第２キャパシタの第１端子に接続され、前記第２キャパシタの第２端子がグランドに接続される、請求項１に記載のディスプレイ・システム。
【請求項７】
ディスプレイ・システムをセグメント化されたアドレシング・スキームを用いて駆動する方法であって、
前記ディスプレイ・システムは、
前記セグメント化されたアドレシング・スキームに従って複数のピクセル回路を含むとともに、複数のセグメントに分割され、各セグメントが複数行の複数のピクセルを含むピクセルアレイであって、各ピクセル回路は、発光デバイスと、前記発光デバイスを駆動して発光させるための駆動トランジスタと、キャパシタと、プログラミング電圧を前記キャパシタに保存させるように前記ピクセル回路をプログラミングするためにデータ・ラインに接続された第１スイッチ・トランジスタと、前記駆動トランジスタのスレッショルド電圧を発生するための第２スイッチ・トランジスタとを含むピクセルアレイ、
を含むとともに、
前記方法が、
前記ピクセルアレイの２以上の行の複数のピクセル回路であって第１セグメントのピクセル回路における第２スイッチ・トランジスタを制御し、前記スレッショルド電圧の生成に先立って行われる補償電圧生成動作の間で、前記キャパシタに負の電圧をプリチャージした直後に、前記第１セグメントの前記複数のピクセル回路における前記スレッショルド電圧生成動作の間、前記データ・ラインを操作することなく、前記第１セグメントの前記ピクセル回路の中の前記駆動トランジスタのスレッショルド電圧を同時に発生させるように制御するとともに、
前記第１セグメントのピクセル回路の第２スイッチ・トランジスタの制御から独立して、前記第２セグメントのピクセル回路の第１スイッチ・トランジスタを制御して前記第２セグメントのピクセル回路をプログラムする、
方法。
【請求項８】
各セグメントは、第１の複数行を含み、前記第２スイッチ・トランジスタの制御は、複数のセグメントにおける各セグメントについて連続して実行される、
請求項７に記載の方法。
【請求項９】
前記トランジスタのうちの少なくとも１つが、アモルファス・シリコン、ナノ／マイクロ結晶質シリコン、ポリ・シリコン、有機トランジスタを含む有機半導体、ＭＯＳＦＥＴを含むＮＭＯＳ／ＰＭＯＳテクノロジまたはＣＭＯＳテクノロジ、ｐ型材料、またはｎ型材料を使用して製造される、
請求項１に記載のディスプレイ・システム。
【請求項１０】
前記駆動トランジスタまたは前記発光デバイスは、スレッショルド電圧を発生する第１フェーズの間に、前記ピクセル回路の前記キャパシタをプリチャージするために、前記ドライバによって電圧制御可能なラインに接続される、
請求項１に記載のディスプレイ・システム。
【請求項１１】
各ピクセル回路において、前記キャパシタは、前記駆動トランジスタのゲート端子および前記発光デバイスの間に接続されている、
請求項１に記載のディスプレイ・システム。
【請求項１２】
請求項１に記載のディスプレイ・システムにおいて、
前記複数のピクセル回路のそれぞれは、
前記キャパシタとして、第１端子および第２端子を有する第１キャパシタであって、前記第１端子が前記駆動トランジスタのゲート端子に接続されている、第１キャパシタを有し、
前記複数のピクセル回路のそれぞれは、前記第１キャパシタの第２端子に接続される第１端子と、１つの電位に接続される第２端子を有する第２キャパシタをさらに含み、
前記第１スイッチ・トランジスタは、前記第２キャパシタの第１端子および第１キャパシタの第２端子に接続されている、
ディスプレイ・システム。
【請求項１３】
請求項６に記載のディスプレイ・システムであって、
前記第２スイッチ・トランジスタ、第３スイッチ・トランジスタおよび前記駆動トランジスタが、前記駆動トランジスタのスレッショルド電圧を発生する回路を形成する、
ディスプレイ・システム。
【請求項１４】
請求項７に記載の方法であって、
第１セグメントにおける前記第２スイッチ・トランジスタの制御および前記第１スイッチ・トランジスタの制御は、前記第２セグメントにおいて、前記第２スイッチ・トランジスタの制御および第１スイッチ・トランジスタの制御が実行された後に、行われる、
方法。
【請求項１５】
請求項７に記載の方法であって、
前記第２セグメントにおいて前記第２スイッチ・トランジスタの制御が行われている間に、前記第１セグメントにおいて前記第２スイッチ・トランジスタの制御が行われる、
方法。
【請求項１６】
請求項１に記載のディスプレイ・システムであって、
前記ドライバは、
前記第１セグメントにおける複数のピクセル回路の前記スレッショルド電圧が発生されている間に、前記第２セグメントのピクセル回路を駆動して光を射出させる、
ディスプレイ・システム。
【請求項１７】
請求項７に記載の方法であって、
第２セグメントにおけるピクセル回路のプログラミングと並行して第１セグメントにおける複数のピクセル回路についての前記スレッショルド電圧を発生するように第２スイッチ・トランジスタの制御が行われる、
方法。
【請求項１８】
請求項７に記載の方法であって、
さらに、
第２セグメントにおけるピクセル回路の駆動と並行して、第１セグメントにおける複数のピクセル回路の前記スレッショルド電圧の発生が行われるように、前記第１セグメントにおける複数のピクセル回路の第２スイッチ・トランジスタの制御が行われる間に、
前記第２セグメントの第２ピクセル回路を駆動して光を射出させる、
方法。
【請求項１９】
ディスプレイ・システムであって、
行及び列で配列された複数のピクセル回路を含むピクセル・アレイであって、
各ピクセル回路が、発光デバイス、キャパシタ、前記発光デバイスを駆動するための駆動トランジスタ、プログラミング動作の間にデータ・ラインからのプログラミングデータを前記キャパシタに保存させるように前記ピクセル回路をプログラムするための前記データ・ラインに接続された第１スイッチ・トランジスタ、及び、スレッショルド電圧生成動作の間に前記駆動トランジスタのスレッショルド電圧を生成するための第２スイッチ・トランジスタを有する、ピクセル・アレイと、
前記スレッショルド電圧生成動作の間に前記ピクセル・アレイの第１行の第１ピクセル回路において前記第２スイッチ・トランジスタを動作させることで、前記駆動トランジスタの前記スレッショルド電圧を生成するように前記第２スイッチ・トランジスタを動作させるとともに、前記プログラミング動作の間に前記第２ピクセル回路の前記第１スイッチ・トランジスタを動作させることで、前記ピクセル・アレイの第２行の第２ピクセル回路をプログラムするように構成されたドライバであって、前記第１ピクセル回路の前記スレッショルド電圧生成動作は、前記ディスプレイ・システムの行時間配分よりも長い継続時間を有し、前記駆動トランジスタが接続された調整可能な電源を用いて、前記キャパシタと前記駆動トランジスタのゲート端子との間のノードをリセットすることで、前記第１ピクセル回路を事前に充電する、ドライバと、
を含むディスプレイ・システム。
【請求項２０】
請求項１９に記載のディスプレイ・システムにおいて、
前記ドライバはさらに、
前記第１ピクセル回路で前記スレッショルド電圧が生成される間、前記第２ピクセル回路と第３ピクセル回路の両方がプログラムされるように、前記第１ピクセル回路で前記スレッショルド電圧生成動作が実行される間に前記第３ピクセル回路の前記第１スイッチ・トランジスタを動作させることによって、前記第２ピクセル回路をプログラムした後、前記ピクセル・アレイの第３行の前記第３ピクセル回路をプログラムするように構成される、ディスプレイ・システム。
【請求項２１】
請求項１９に記載のディスプレイ・システムにおいて、
前記スレッショルド電圧生成動作の第１段階の間に前記第１ピクセル回路は、事前に充電され、前記スレッショルド電圧生成動作の第２段階の間に前記キャパシタの前記駆動トランジスタのそれぞれの前記スレッショルド電圧は充電され、前記スレッショルド電圧生成動作の前記第２段階は、前記第１段階よりも長い継続時間を有する、ディスプレイ・システム。
【請求項２２】
請求項２１に記載のディスプレイ・システムにおいて、
前記調整可能な電源は、前記スレッショルド電圧生成動作の前記第１段階の間に前記複数のピクセル回路のそれぞれにおいて、前記キャパシタに負の電圧を充電する、ディスプレイ・システム。
【請求項２３】
請求項１９に記載のディスプレイ・システムにおいて、
前記第１ピクセル回路及び前記第２ピクセル回路は、前記ピクセル・アレイのデータ・ラインを共有し、前記第２ピクセル回路のプログラミングが、前記第１ピクセル回路の前記スレッショルド電圧生成動作と独立するように、前記スレッショルド電圧生成動作が、前記データ・ラインに影響を与えることなく、前記第１ピクセル回路で実行される、ディスプレイ・システム。
【請求項２４】
請求項１９に記載のディスプレイ・システムにおいて、
前記ピクセル・アレイは、それぞれが前記ピクセル・アレイにおいて前記ピクセル回路のサブセットを含む複数のセグメントに分割され、前記ドライバは、さらに、第２セグメントが、ディスプレイ・データでプログラムされるか、または、発光するように駆動される間、前記複数のセグメントの第１セグメントにおいて、前記スレッショルド電圧生成動作を実行するように構成される、ディスプレイ・システム。
【請求項２５】
請求項１９に記載のディスプレイ・システムにおいて、
前記複数のピクセル回路はそれぞれ、前記第１スイッチ・トランジスタのゲート端子が第１選択ラインに接続され、前記第２スイッチ・トランジスタのゲート端子が第２選択ラインに接続され、前記第１選択ライン及び前記第２選択ラインが前記ドライバに駆動され、前記第２スイッチ・トランジスタの第１端子が前記駆動トランジスタの前記ゲート端子に接続され、前記第１スイッチ・トランジスタの第１端子が前記データ・ラインに接続され、前記第１スイッチ・トランジスタの第２端子が前記駆動トランジスタの前記ゲート端子に接続され、前記データ・ラインが前記ドライバに駆動され、前記キャパシタが、前記駆動トランジスタの前記ゲート端子と前記発光デバイスとの間に接続されて構成される、ディスプレイ・システム。
【請求項２６】
請求項１９に記載のディスプレイ・システムにおいて、
前記複数のピクセル回路はそれぞれ、前記キャパシタが第１キャパシタであり、前記複数のピクセル回路のそれぞれがさらに第２キャパシタ及び第３スイッチ・トランジスタを含んで構成され、前記複数のピクセル回路はそれぞれ、前記第１スイッチ・トランジスタのゲート端子が第１選択ラインに接続され、前記第２スイッチ・トランジスタ及び前記第３スイッチ・トランジスタのゲート端子が第２選択ラインに接続され、前記第１選択ライン及び前記第２選択ラインが前記ドライバに駆動され、前記第１スイッチ・トランジスタの第１端子が前記データ・ラインに接続され、前記第１スイッチ・トランジスタの第２端子が前記第１キャパシタ及び前記第２キャパシタに接続され、前記第２スイッチ・トランジスタの第１端子が前記第１キャパシタ及び前記第２キャパシタに接続され、前記第３スイッチ・トランジスタの第１端子が前記駆動トランジスタ及び前記発光デバイスに接続され、前記第３スイッチ・トランジスタの第２端子が前記駆動トランジスタのゲート端子に接続され、前記第１キャパシタ及び前記第２キャパシタが前記駆動トランジスタの前記ゲート端子に直列に接続されて構成される、ディスプレイ・システム。
【請求項２７】
ディスプレイを駆動する方法であって、
前記ディスプレイが、
行及び列で配列された複数のピクセル回路を含むピクセル・アレイであって、各ピクセル回路が、発光デバイス、キャパシタ、発光するように前記発光デバイスを駆動するための駆動トランジスタ、前記キャパシタに保存された前記データ・ラインからのプログラミングデータのプログラミング動作の間、前記ピクセル回路をプログラムするためのデータ・ラインに接続された第１スイッチ・トランジスタ、及び、前記駆動トランジスタのスレッショルド電圧を生成するための第２スイッチ・トランジスタを有する、ピクセル・アレイを含み、
前記方法が、
スレッショルド電圧生成動作の間、第１ピクセル回路に関連付けられたデータ・ラインに影響を与えることなく、前記スレッショルド電圧を生成するように第１ピクセル回路の第２スイッチ・トランジスタをコントロールすることにより、前記ピクセル・アレイの第１行の前記第１ピクセル回路で駆動トランジスタのスレッショルド電圧を生成するステップと、
前記第１ピクセル回路に関連付けられた前記データ・ラインを介して第２ピクセル回路をプログラムするように前記前記第２ピクセル回路の前記第１スイッチ・トランジスタをコントロールすることにより、前記プログラミング動作の間、前記ピクセル・アレイの第２行の前記第２ピクセル回路をプログラムするステップであって、前記プログラムするステップは、前記第１ピクセル回路の前記スレッショルド電圧が生成されている間、実行される、プログラムするステップと、
を含み、
前記スレッショルド電圧を生成するステップは、前記ディスプレイの行時間配分よりも長い継続時間を有し、前記スレッショルド電圧を生成するステップは、
前記駆動トランジスタのゲート端子における電圧をリセットするように、第１段階の間、初期電圧で前記第１ピクセル回路の前記キャパシタを事前に充電するステップと、
前記駆動トランジスタによって前記初期電圧を充電または放電することにより、第２段階の間、前記キャパシタ上に前記駆動トランジスタの前記スレッショルド電圧を発生させるステップと、
を含み、
前記第２段階は、前記ディスプレイのプログラミング時間配分よりも長い継続時間を有する、方法。
【請求項２８】
請求項２７に記載の方法であって、さらに、
前記第１ピクセル回路に関連付けられた前記データ・ラインを介して第３ピクセル回路をプログラムするように、前記第３ピクセル回路の第１スイッチ・トランジスタを動作させることで、前記ピクセル・アレイの第３行の前記第３ピクセル回路をプログラムするステップであって、前記第３ピクセル回路をプログラムするステップは、前記第１ピクセル回路において前記スレッショルド電圧が生成される間、前記第２ピクセル回路と前記第３ピクセル回路の両方が、プログラムされるように、前記第１ピクセル回路の前記スレッショルド電圧が生成されている間、実行される、プログラムするステップを含む、方法。
【請求項２９】
請求項２７に記載の方法において、
前記事前に充電するステップは、コントロール可能な電源ラインの電圧を調整することによって実行される、方法。
【請求項３０】
請求項２７に記載の方法において、
前記ピクセル・アレイは、それぞれが前記ピクセル・アレイにおいてピクセル回路のサブセットを含む複数のセグメントに分割され、前記ピクセル・アレイの第１行の前記ピクセル回路は、前記複数のセグメントの第１セグメントに含まれ、前記ピクセル・アレイの第２行のピクセル回路は、前記複数のセグメントの第２セグメントに含まれ、前記第１セグメントの前記ピクセル回路の前記第２スイッチ・トランジスタはそれぞれ、共有された第１グローバル選択ラインによってコントロールされ、前記第２セグメントの前記ピクセル回路の前記第２スイッチ・トランジスタはそれぞれ、共有された第２グローバル選択ラインによってコントロールされ、前記第１ピクセル回路の前記スレッショルド電圧を生成するステップは、前記第１セグメントの前記複数のピクセル回路の前記駆動トランジスタのスレッショルド電圧を同時に生成するように、前記第１グローバル選択ラインを動作させることによって実行される、方法。
【請求項３１】
請求項３０に記載の方法であって、さらに、
前記第１セグメントの複数のピクセル回路のスレッショルド電圧の生成を同時に実行しながら、発光するように前記第２セグメントの複数のピクセル回路を駆動するステップを含む、方法。